(57)【要約】【課題】  袋幅の大小に関わらず包装袋を蛇行することなく安定した状態で移送することが可能な包装袋の供給用コンベアを提供すること。【解決手段】  プーリについては、プーリ軸２，９の中央に配置された主プーリ３，１０と当該主プーリの両側に夫々配置されて軸方向に摺動可能に設けた副プーリ４，１１とからなり、各プーリ軸に近接して平行に配置された二つの調整軸１５，２１を連動回転可能に設け、それらの調整軸の中央部を境にしてリード方向が異なるように形成された雄ネジ部に可動部材１７，２３を夫々螺合させると共に当該可動部材の爪片を副プーリに係合させるように設け、さらに前後に位置する左右の可動部材の上部に案内板３０，３１を対向するように設け、一方の調整軸に取付けたハンドル２６を操作することにより副プーリに掛け渡されたベルトの間隔を案内板と一緒に袋幅の大きさに合わせて調節可能とした。【選択図】  図１
2006111280.tif 000002
【特許請求の範囲】
【請求項１】
フレームの前部と後部にプーリを夫々回転自由に軸支し、それらのプーリに掛け渡された複数のベルトを駆動モータによって直線方向に走行自在に設け、そのベルト上に供給される包装袋の両側縁を左右一対の案内板により案内しつつ当該包装袋を前方へ移送するように設けられた包装袋の供給用コンベアであって、
前記プーリについては、プーリ軸の中央に配置された主プーリと当該主プーリの両側に夫々配置されて軸方向に摺動可能に設けられた副プーリとからなり、それら主プーリ間及び副プーリ間にベルトを夫々掛け渡し、各プーリ軸に近接して平行に配置された二つの調整軸を連動回転可能に設け、それらの調整軸の中央部を境にしてリード方向が異なるように形成された雄ネジ部に可動部材の雌ネジ部を夫々螺合させると共に当該可動部材に形成された爪片を前記副プーリの一部に係合させるように設け、さらに前後に位置する左右の可動部材の上部に前記案内板を対向するように設け、一方の調整軸に取付けたハンドルを回転操作させることにより副プーリのベルトの間隔を前記案内板と一緒に袋幅の大きさに合わせて調節可能に構成したことを特徴とする包装袋の供給用コンベア。
【発明の詳細な説明】
【技術分野】
【０００１】
本発明は、包装袋を一枚ずつ自動包装機のグリップ対に送り込むための給袋装置等に用いられる包装袋の供給用コンベアに関するものである。
【背景技術】
【０００２】
従来の包装袋の供給装置として、本件出願人にかかるものが特開平１０−１９４２３８号、特公昭５８−２８１６６号公報に開示されている。前者の供給装置は、袋口を下にした多数の包装袋をストッカー部のベルトコンベア上に倒し重ねて供給し、そのベルトコンベアの上方に配置された繰出し手段の繰出しベルトをベルトコンベアより早送りすることにより先頭の包装袋を後続の包装袋から分離して一枚ずつ前方へ送る構造とされている。そのベルトコンベアは、３列のベルト溝が形成されたプーリを機台に所定間隔をおいて配置すると共に丸断面形状のベルトをプーリ間に掛け渡し、機台に設置された駆動モータによりプーリを一定速度で回転させるように設けられている。
【０００３】
また、上記供給装置では、所定範囲内の大きさ（例えば、袋幅：１００ｍｍ〜２３０ｍｍ）の包装袋に対応することができるように設けられており、包装袋の両側縁を案内する左右一対の案内板の対向間隔が袋幅の大きさに合わせるべく変更可能に設けられている。
【０００４】
ところが、上記ベルトコンベアの外側に位置するベルトの間隔寸法は、最小の袋幅の包装袋に合わせて一定に設けられている。このため、袋幅の大きい包装袋の場合には、前記案内板のみを袋幅に合うように調整しているところ、包装袋は中央付近でしか支承されないために蛇行しつつ移送されることを免れない。包装袋がベルトコンベアの前進端まで移送されたときに進行方向に対して傾いた状態であると、その傾いた姿勢のまま包装機のグリップ対に送り込まれることになるため、後工程において袋口のシール不良等の不都合を生ずることになる。
【特許文献１】特開平１０−１９４２３８号公報
【特許文献２】特公昭５８−２８１６６号公報
【発明の開示】
【発明が解決しようとする課題】
【０００５】
本発明の目的は、袋幅の大小に関わらず包装袋を蛇行することなく安定した状態で移送することが可能な包装袋の供給用コンベアを提供することにある。
【課題を解決するための手段】
【０００６】
前記目的を達成するために請求項１に記載した発明は、フレームの前部と後部にプーリを夫々回転自由に軸支し、それらのプーリに掛け渡された複数のベルトを駆動モータによって直線方向に走行自在に設け、そのベルト上に供給される包装袋の両側縁を左右一対の案内板により案内しつつ当該包装袋を前方へ移送するように設けられた包装袋の供給用コンベアであって、前記プーリについては、プーリ軸の中央に配置された主プーリと当該主プーリの両側に夫々配置されて軸方向に摺動可能に設けられた副プーリとからなり、それら主プーリ間及び副プーリ間にベルトを夫々掛け渡し、各プーリ軸に近接して平行に配置された二つの調整軸を連動回転可能に設け、それらの調整軸の中央部を境にしてリード方向が異なるように形成された雄ネジ部に可動部材の雌ネジ部を夫々螺合させると共に当該可動部材に形成された爪片を前記副プーリの一部に係合させるように設け、さらに前後に位置する左右の可動部材の上部に前記案内板を対向するように設け、一方の調整軸に取付けたハンドルを回転操作させることにより副プーリのベルトの間隔を前記案内板と一緒に袋幅の大きさに合わせて調節可能に構成したことを特徴とする。  
【発明の効果】
【０００７】
この包装袋の供給用コンベアは、包装袋の側縁を案内する案内板に連動させて外側のベルトの間隔を調節可能とし包装袋を適切な位置で支承するように構成しているので、袋幅の大小に関わらず包装袋を蛇行させることなく安定した状態で移送することができる。
【発明を実施するための最良の形態】
【０００８】
以下に、本発明の最良の形態例を図面に基づいて説明する。図１は一部を破断して示す概要平面図、図２は図１のＡ−Ａ線断面図である。
【０００９】
図１に示す本発明の包装袋の供給用コンベアＣは、図示しない包装袋の供給装置のベルトコンベアに相当するものであるが、単独の包装袋のベルトコンベアとしても利用可能である。ここでいう「包装袋の供給装置」としては、前述した特開平１０−１９４２３８号公報等に記載されたほぼ水平なベルトコンベアと、そのベルトコンベアの上方に繰出し手段を配置し、袋口を下にした多数の包装袋をベルトコンベア上に倒し重ねて供給し、繰出し手段の繰出しベルトをベルトコンベアより早送りすることにより先頭の包装袋を後続の包装袋から分離して一枚ずつ前方へ送る構造の形式のものをいう。
【００１０】
供給用コンベアＣのフレーム１は、前後方向に長く平面から見て矩形状に形成されている。そのフレーム１の前部には、中央に配置した主プーリ３と、主プーリ３の両側に夫々配置して軸方向に摺動可能とされた副プーリ４，４とを取付けたプーリ軸２が回転自由に設けられている。その主プーリ３には４列のベルト溝３ａを、副プーリ４，４には一つのベルト溝４ａが夫々形成されている。また、副プーリ４については、軸穴に形成される溝（図示せず）をプーリ軸２に加工されるスプラインに遊嵌させることにより軸方向に摺動可能に設けられている。フレーム１の下部には駆動モータ５を設置し、この駆動モータ５の出力軸に固定したプーリ６と主プーリ３の外側のベルト溝３ａとの間に駆動ベルト７を掛け渡す。
【００１１】
同様に、フレーム１の後部には、中央に配置した主プーリ１０と、主プーリ１０両側に夫々配置して軸方向に摺動可能とされた副プーリ１１，１１とを取付けたプーリ軸９が回転自由に設けられている。その主プーリ１０には３列のベルト溝１０ａを、副プーリ１１，１１には一つのベルト溝１１ａが夫々形成されている。それら主プーリ３，１０間には丸断面形状のベルト１２を掛け渡し、副プーリ４，１１間には丸断面形状のベルト１３を掛け渡す。
【００１２】
１５はプーリ軸２に近接させて前方に平行に配置され、フレーム１に回転自由に設けられた調整軸である。この調整軸１５には、その中央部を境にしてリード方向が異なるように雄ネジ部１６ａ，１６ｂが形成され、それらの雄ネジ部１６ａ，１６ｂに、可動部材１７，１７の雌ネジ部（図示せず）を夫々螺合させる。各可動部材１７の後部に形成された左右一対の爪片１８，１８は、前記副プーリ４の一部たる側面４ｂに外側からほぼ接触した状態で係合されるように設けられている。１９はプーリ軸２の一端部（ベルト１２，１３の進行方向に向かって右側）に固定されたスプロケットである。
【００１３】
２１はプーリ軸９に近接させて前方に平行に配置され、フレーム１に回転自由に設けられた調整軸である。この調整軸２１には、前記調整軸１５と同様に、その中央部を境にしてリード方向が異なるように雄ネジ部２２ａ，２２ｂが形成され、それらの雄ネジ部２２ａ，２２ｂに、可動部材２３，２３の雌ネジ部（図示せず）を夫々螺合させる。各可動部材２３の後部に形成された左右一対の爪片２４，２４は、前記副プーリ１１の側面１１ｂに外側からほぼ接触した状態で係合されるように設けられている。２５は調整軸２１の一端部（ベルト１２，１３の進行方向に向かって右側）に固定されたスプロケット、２６は調整軸２１のフレーム１から外方に突出する軸部に取付けたハンドルである。２７は二つの調整軸１５，２１を連動回転させるためにスプロケット１９とスプロケット２５との間に掛け渡されたチェンである。
【００１４】
前後に位置する左右の可動部材１７，２３の上部には、図２に示すように、包装袋の両側縁を案内する断面Ｌ字形の左右一対の案内板３０，３１を対向するように設ける。
【００１５】
しかして、ハンドル２６を回転操作させることにより、二つの調整軸１５，２１が連動回転して副プーリ４，１１のベルト１３，１３の間隔を案内板３０，３１と一緒に袋幅の大きさに合わせて調節可能に構成される。
【００１６】
つぎに、本発明の包装袋の供給用コンベアＣの作動について述べる。
まず、案内板３０，３１の間隔を供給する包装袋ｂの幅の大きさに合わせてハンドル２６を回転操作させて調節を行なう。このときに主プーリ３，１０は移動しないが、副プーリ４，１１は案内板３０，３１と一緒に包装袋ｂの幅方向に移動する。このため、包装袋ｂは、１００ｍｍ程度の小さい袋幅、２００ｍｍ程度の大きい袋幅に関わらず、その中央裏面を３本のベルト１２で、両側縁に近い裏面を外側のベルト１３，１３で支承される。
しかして、そのベルト１２，１３上に供給される包装袋ｂは、側縁を案内板３０，３１により案内されつつ、駆動モータ５によるベルト１２，１３の直線走行作動により蛇行することなく円滑に前方へ移送される。
【００１７】
以上に述べた通り、この包装袋の供給用コンベアは、包装袋の側縁を案内する案内板に連動させて外側のベルトの間隔を調節可能とし包装袋を適切な位置で支承するように構成しているので、袋幅の大小に関わらず包装袋を蛇行させることなく安定した状態で移送することができる利点がある。
【図面の簡単な説明】
【００１８】
【図１】図１は一部を破断して示す概要平面図
【図２】図２は図１のＡ−Ａ線断面図
【符号の説明】
【００１９】
Ｃ・・・包装袋の供給用コンベアＣ
１・・・フレーム
２，９・・・プーリ軸
３，１０・・・主プーリ
４，１１・・・副プーリ
５・・・駆動モータ
１２，１３・・・ベルト
１５・・・調整軸
１６ａ，１６ｂ・・・雄ネジ部
１７，２３・・・可動部材
１８，２４・・・爪片
２１・・・調整軸
２２ａ，２２ｂ・・・雄ネジ部
２６・・・ハンドル
３０，３１・・・案内板
【図１】
2006111280.tif 000003
【図２】
2006111280.tif 000004